(57)【特許請求の範囲】
【請求項１】
シャンクにテ―パ嵌合されている溶接用電極チップを該シャンクから取り外す装置であって、前記シャンクの大径部と電極チップとの隙間でシャンクの端面及び電極チップの端面にそれぞれ当接される略半円状の爪を備えたチップ抜き取り板を取り外し装置の先端側に配置し、前記電極チップの端面を爪により電極チップの軸線方向に加圧することにより電極チップをシャンクから取り外す装置において、前記チップ抜き取り板をベ―スプレ―トに立設された支柱に上下スライド可能に重積挿通し、両チップ抜き取り板の各外表面にスプリングを当接させ、前記チップ抜き取り板を前記ベ―スプレ―トの両側面に枢軸された揺動ア―ムの自由端側に配置し、各揺動ア―ムの自由端側に前後にピンを突設し、前記各チップ抜き取り板の側面に前記ピンの移動用溝を形成し、前記揺動ア―ムとチップ抜き取り板を前記ピンを移動用溝に挿着して接続したことを特徴とする溶接用電極チップの取り外し装置。
【請求項２】
前記揺動ア―ムの枢軸点と自由端側のピンとの間に揺動ア―ムのストッパーを設けたことを特徴とする請求項１記載の溶接用電極チップの取り外し装置。
【発明の詳細な説明】
【技術分野】
【０００１】
本発明は、シャンクにテ―パ嵌合されている溶接用電極チップを該シャンクから取り外す装置に関するものである。
【背景技術】
【０００２】
従来、シャンクにテ―パ嵌合されている溶接用電極チップを該シャンクから取り外す装置であって、前記シャンクの大径部と電極チップとの隙間でシャンクの端面及び電極チップの端面にそれぞれ当接される略半円状の爪を備えたチップ抜き取り板を取り外し装置の先端側に配置し、前記電極チップの端面を爪により電極チップの軸線方向に加圧することにより電極チップをシャンクから取り外す装置がある（例えば、特許文献１，２参照。）。
【０００３】
【特許文献１】特開２００５ー４０８３０号公報。
【特許文献２】特許第３８９２８１６号公報。
【発明の開示】
【発明が解決しようとする課題】
【０００４】
ところで、従来技術の特許文献１記載のような装置では、チップ抜き取り板の爪により電極チップを抜き取るのに重積された両抜き取り板間の間隔を拡げるため、クサビや該クサビを作動させるため動力を用いているが、このような動力式では装置を作動させるために電源やエア―等の配線，配管が必要であり、設置や運用の上に不便であり、また動力を発生させるための装置（エアシリンダ―，ギヤ―ドモ―タ―，制御装置等）が高価であり、取り外し装置の価格が高価になる虞がある。
【０００５】
また、特許文献２記載のような装置では、操作レバ―を用いて回動ア―ムにより両抜き取り板間の間隔を拡げるようにしているが、この場合には、操作レバ―を操作する作業員の熟練と過分な労力を必要とするものであり、省力化及び完全な自動化ができないものである。
【０００６】
本発明は、従来の技術の有するこのような問題点に鑑みてなされたものであり、その目的とするところは、電極チップ取り外し装置を無動力化して、電極チップを抜き取るようにし、確実なチップの抜き取り及び装置の完全自動化が可能な溶接用電極チップの取り外し装置を提供しようとするものである。
【課題を解決するための手段】
【０００７】
上記目的を達成するために、本発明における溶接用電極チップの取り外し装置は、シャンクにテ―パ嵌合されている溶接用電極チップを該シャンクから取り外す装置であって、前記シャンクの大径部と電極チップとの隙間でシャンクの端面及び電極チップの端面にそれぞれ当接される略半円状の爪を備えたチップ抜き取り板を取り外し装置の先端側に配置し、前記電極チップの端面を爪により電極チップの軸線方向に加圧することにより電極チップをシャンクから取り外す装置において、前記抜き取り板をベ―スプレ―トに立設された支柱に上下スライド可能に重積挿通し、両抜き取り板の各外表面にスプリングを当接させ、前記抜き取り板を前記ベ―スプレ―トの両側面に枢軸された揺動ア―ムの自由端側に配置し、各揺動ア―ムの自由端側に前後にピンを突設し、前記各チップ抜き取り板の側面に前記ピンの移動用溝を形成し、前記揺動ア―ムとチップ抜き取り板を前記ピンを移動用溝に挿着して接続したことを特徴とするものである。
【０００８】
また、前記揺動ア―ムの枢軸点と自由端側のピンとの間に揺動ア―ムのストッパーを設けたことを特徴とするものである。
【発明の効果】
【０００９】
本発明においては、抜き取り板をベ―スプレ―トに立設された支柱に上下スライド可能に重積挿通し、両抜き取り板の各外表面にスプリングを当接させ、前記抜き取り板を前記ベ―スプレ―トの両側面に枢軸された揺動ア―ムの自由端側に配置し、各揺動ア―ムの自由端側に前後に突設したピンを、抜き取り板の側面に形成したピンの移動用溝に挿着したので、溶接ガンのシャンクを抜き取り板に対して移動させることでシャンクに取り付けられている電極チップは取り外されることから、溶接用電極チップの取り外し装置を無動力化して、確実なチップの抜き取り及び装置の完全自動化が可能な溶接用電極チップの取り外し装置となる。
【００１０】
また、前記揺動ア―ムの枢軸点と自由端側のピンとの間に揺動ア―ムのストッパーを設けた場合には、溶接用電極チップの取り外し作業中に揺動ア―ムが過分に揺動して抜き取り板の上下スライドが過剰となりスプリングを損傷させるようなことなく、抜き取り板は正確に動作できることから、電極チップの取り外し作業も迅速にできる溶接用電極チップの取り外し装置となる。
【発明を実施するための最良の形態】
【００１１】
抜き取り板をベ―スプレ―トに立設された支柱に上下スライド可能に重積挿通し、両抜き取り板の各外表面にスプリングを当接させ、前記抜き取り板を前記ベ―スプレ―トの両側面に枢軸された揺動ア―ムの自由端側に配置し、各揺動ア―ムの自由端側に前後に突設したピンを抜き取り板の側面に形成したピンの移動用溝に挿着することにより、抜き取られるべき電極チップを備えた溶接ガンが移動されて、電極チップとシャンクとの間の隙間に抜き取り板の両爪が納まるように位置された状態で、更に該溶接ガンの移動により揺動ア―ムが枢軸を枢支点として回動して、両抜き取り板の間の間隔を拡げて電極チップが自動的にシャンクから抜き取られる。
【００１２】
そして、抜き取られるべき電極チップを備えた溶接ガンが移動されて、電極チップとシャンクとの間の隙間に両爪が納まるように位置させ、電極チップを抜き取り作業を行い、電極チップの抜き取り後に溶接ガンを電極チップの取り外し装置から離脱させるまでの溶接ガンの移動制御は、ロボットの制御機構内にティ―チングしロボットの制御で行わせることで、電極チップの取り外し装置の完全自動化が可能である。
【実施例１】
【００１３】
図１ないし図４は本発明に係る実施例１の溶接用電極チップの取り外し装置に関するものであり、図１は要部平面図、図２はその正面図、図３は図１のＡ―Ａ断面図、図４はその作動説明図である。
【００１４】
図において、１は溶接用電極チップの取り外し装置の全貌を示すものであり、該溶接用電極チップの取り外し装置１のベ―スプレ―トは上板２，下板３および側板４からなり、断面コ字状に形成されている。
【００１５】
５はその先端に略半円状の爪６を、７はその先端に略半円状の爪８を、それぞれ備えたチップ抜き取り板であり、チップ抜き取り板５で爪６の後部には孔９が、チップ抜き取り板７で爪８の後部には孔１０が穿設されており、また該チップ抜き取り板５にはその側面で下方にピンの移動用溝１１，１１が、チップ抜き取り板７にはその側面で上方にピンの移動用溝１２，１２が、それぞれ形成されている。
【００１６】
１３は、ベ―スプレ―トを構成する上板２と下板３の間に立設された支柱であり、該支柱１３には前記チップ抜き取り板５と７とが孔９，１０を介して上下スライド可能に重積挿通されている。また、チップ抜き取り板５の上外表面と上板２との間にはスプリング１４が、チップ抜き取り板７の下外表面と下板３との間にはスプリング１５が、支柱１３のまわりにそれぞれ張設されている。
【００１７】
１６は、ベ―スプレ―トを構成する側板４の中央部に例えばピンを枢軸点１７として枢軸点１７によって回動自在に枢軸された揺動ア―ムであり、該揺動ア―ム１６，１６の前方である各自由端側には前記移動用溝１１，１２に向けて突出する前ピン１８と後ピン１９とが前後に間隔をおいて取り付けられている。
【００１８】
なお、前記前ピン１８と後ピン１９とは、前後に連結されて１つの突設部材として構成してもよい。
【００１９】
以上のような構成からなる溶接用電極チップの取り外し装置において、抜き取られるべき電極チップ２０を備えた溶接ガンが例えばロボットにより図１の左側より矢印イのように該電極チップの取り外し装置１に向け移動されて、電極チップ２０とシャンク２１との間の隙間に抜き取り板の両爪６，８が納まるように位置された状態とする。この時点では、揺動ア―ム１６，１６はほぼ水平状態にあってピン１８，１９は前後に水平状態で移動用溝１１，１２内に納まり、チップ抜き取り板５と７は重積状態で支柱１３のほぼ中央に位置し、両スプリング１４，１５が釣り合ってチップ抜き取り板５と７を保持している。（図４では実線で示した）。
【００２０】
次いで、ロボットにより溶接ガンを上方もしくは下方に直線運動させることによりシャンク２１で重積状態のチップ抜き取り板５，７の下面もしくは上面が押され、重積状態のチップ抜き取り板５，７は上方もしくは下方に移動し、該チップ抜き取り板５，７の上方もしくは下方に移動の伴い揺動ア―ム１６，１６の自由端側は上方もしくは下方に押され、該揺動ア―ム１６，１６は枢軸点１７を支軸として傾斜状態となる。
【００２１】
この揺動ア―ム１６の傾斜状態では、揺動ア―ム１６の自由端側の前ピン１８と後ピン１９も同じ傾斜状態となり、前ピン１８と後ピン１９との間には上下方向に高さの差が生じ、この高さの差がチップ抜き取り板５とチップ抜き取り板７の重積を解き、両チップ抜き取り板５，７は水平状態に維持されたまま、両者間の間隔が拡げられることになり、チップ抜き取り板５，７間の間隔が拡げられることにより爪６と爪８によってシャンク２１から電極チップ２０は離脱される。（図４では仮想線で示した）。
【００２２】
このように、電極チップ２０のシャンク２１からの離脱，即ち、電極チップ２０の取り外しでは、ロボットへのティ―チングで溶接ガンを適宜移動させる制御のみで、チップの取り外し装置１は無人化されて該チップの取り外し装置１を作動させるため、チップの取り外し装置１に電動やエア―等の配線，配管を必要とせず、チップ抜き取り板５，７の間隔は無理なく平行して相互に拡げられて、シャンク２１からの電極チップ２０の取り外しが確実に行われる。
【００２３】
しかも、電極チップ２０は上向き或は下向きにチップ抜き取り板５，７にセットできるので、例えば、シャンク２１に下向きの電極チップ２０を抜き取った後にシャンク２１に上向きの電極チップ２０を抜き取るようにすることもでき、さらには、チップの取り外し装置１はチップの取り外し作業が重力に影響されることがないことから、チップの取り外し装置１自体を縦向き或は横向きのどちらでも使用することができ、前記ロボットへのティ―チングも容易になる。
【００２４】
なお、本発明に係る溶接用電極チップの取り外し装置を定置式の溶接ガンに適用する場合等では、該電極チップの取り外し装置をロボットに取り付けて、該ロボットにより電極チップの取り外し装置を溶接ガン側に導くようにロボットを制御すればよい。
【実施例２】
【００２５】
前記電極チップ２０の取り外し作業中に揺動ア―ム１６が枢軸点１７を支軸として揺動するものであるが、この揺動運動が慣性等により過剰に行われと、スプリング１４或はスプリング１５に過負荷が掛かりスプリング１４或はスプリング１５を損傷するおそれがある。
【００２６】
そこで、図１，図３に示すように、揺動ア―ム１６の枢軸点１７と自由端側のピン１８，１９との間に揺動ア―ム１６のストッパ―２２を設けたものである。このストッパー２２は両揺動ア―ム１６，１６の間にそれぞれボルト２３で固定された円柱状の当接部材２４等で構成され、該ストッパ―２２は揺動ア―ム１６，１６が所定の位置に回動したときにベ―スプレ―トの側板４の側面に前記当接部材２４が当接して、揺動ア―ム１６，１６がそれ以上に回動しようとするのを抑制することになる。
【００２７】
したがって、揺動ア―ム１６と連動関係にあるチップ抜き取り板５とチップ抜き取り板７の上下動は所定の範囲に納まり、スプリング１４或はスプリング１５に過負荷が掛かることはない。
【００２８】
なお、このストッパ―２２が、両揺動ア―ム１６，１６の内側面に当接部材２４の各端面がそれぞれ接するような構成とされている場合には、揺動ア―ム１６の枢軸点１７にゆるみがでて、揺動ア―ム１６，１６の自由端の間隔が変動しようとすることがあっても、この間隔が変動がストッパ―２２によって抑制されることになり、揺動ア―ム１６の自由端は安定して揺動することができ、結果的にチップ抜き取り板５，７の横振れも防止できて爪６，８による電極チップ２０の取り外しがより確実にできるものである。
【図面の簡単な説明】
【００２９】
【図１】図１は本発明に係る溶接用電極チップ取り外し装置の要部平面図である。
【図２】図２はその正面図である。
【図３】図３は図１のＡ―Ａ断面図である。
【図４】図４はその作動説明図である。
【符号の説明】
【００３０】
１                      溶接用電極チップの取り外し装置
２，３，４              ベ―スプレ―ト
５，７                  チップ抜き取り板
６，８                  爪
１１，１２              ピンの移動用溝
１３                    支柱
１４，１５              スプリング
１６                    揺動ア―ム
１７                    枢軸点
１８，１９              ピン
２０                    電極チップ
２１                    シャンク
２２                    ストッパ―
【図１】
0005123034.tif 000002
【図２】
0005123034.tif 000003
【図３】
0005123034.tif 000004
【図４】
0005123034.tif 000005